(57)【特許請求の範囲】
【請求項１】
消毒液を収容すると共に、消毒対象を入れる開口が上端部に形成された容器本体と、
前記容器本体の上端部に装着され、前記開口を覆う上蓋と、
この上蓋に対して一定の範囲で移動可能に取付けられた中蓋と
を有し、
この中蓋は、前記消毒対象が前記消毒液内に浸漬されるように前記消毒対象を抑える構成としたことを特徴とする消毒容器。
【請求項２】
前記中蓋は、前記上蓋の裏面に対して係合される係合手段を有し、前記上蓋は、中蓋の係合手段が係合された状態にてこの中蓋を一定範囲で移動させる手段を有することを特徴とする請求項１に記載の消毒容器。
【請求項３】
前記中蓋の板状の蓋本体には、容器本体内にて消毒液を上下方向に通過させるための貫通穴が設けられていることを特徴とする請求項１に記載の消毒容器。
【請求項４】
前記中蓋の蓋本体は、格子状のリブ構造とされていることを特徴とする請求項１に記載の消毒容器。
【請求項５】
前記中蓋の蓋本体の裏面には、消毒対象としての瓶体の開口に受容させて、この瓶体を固定するための固定手段が設けられていることを特徴とする請求項１に記載の消毒容器。
【発明の詳細な説明】
【０００１】
【産業上の利用分野】
本発明は、消毒容器に係り、特に、消毒液に哺乳瓶等を浸して消毒する消毒容器に関するものである。
【０００２】
【従来の技術】
図１８は、従来の哺乳瓶の消毒容器を示す断面図である。この従来の消毒容器１は、容器本体２に規定量の消毒液３が収容された後、消毒対象である哺乳瓶やこの哺乳瓶に使用される乳首等がこの容器本体２に収容される。
そして、消毒容器１には、哺乳瓶や乳首等の上から落とし蓋４が被せられ、この落とし蓋４により、消毒液の液面から浮き上がる乳首等が完全に消毒液３に浸されるようになっている。
【０００３】
すなわち、この種の哺乳瓶の消毒容器においては、哺乳瓶、乳首を消毒液に浸して一定時間放置することにより、これらの哺乳瓶や乳首の消毒を行う。このためこの種の消毒容器１は、消毒を完全なものとするために、上蓋５とは別に上記のような落とし蓋４を設け、この落とし蓋４により消毒液の液面から浮上する乳首等を完全に消毒液３に浸すようになっている。
【０００４】
【発明が解決しようとする課題】
ところが、従来の消毒容器１では、消毒の完了した哺乳瓶等を取り出す場合、矢印ａで示すように、始めに上蓋５を取り外した後、続いて矢印ｂで示すように、落とし蓋４を取り出し、その後消毒の完了した哺乳瓶、乳首を取り出すことになる。
【０００５】
この上蓋５を取り外した後、続いて落とし蓋４を取り出す作業は、二つの動作を必要とし、めんどうであるだけでなく、とり外した落とし蓋４は消毒液で濡れているために置き場所に困るという問題があった。
【０００６】
本発明は以上の点に鑑みてなされたもので、消毒の完了した哺乳瓶、乳首を簡単に取り出すことができる消毒容器を提供することを目的としている。
【０００７】
【課題を解決するための手段】
上記目的は、本発明にあっては、消毒液を収容すると共に、消毒対象を入れる開口が上端部に形成された容器本体と、前記容器本体の上端部に装着され、前記開口を覆う上蓋と、この上蓋に対して一定の範囲で移動可能に取付けられた中蓋とを有し、この中蓋は、前記消毒対象が前記消毒液内に浸漬されるように前記消毒対象を抑える構成とした、消毒容器により、達成される。
【０００８】
本発明にあっては、前記中蓋は、前記上蓋の裏面に対して係合される係合手段を有し、前記上蓋は、中蓋の係合手段が係合された状態にてこの中蓋を一定範囲で移動させる手段を有するようにしてもよい。
【０００９】
前記中蓋の板状の蓋本体には、容器本体内にて消毒液を上下方向に通過させるための貫通穴が設けられていてもよい。
また、前記中蓋の蓋本体は、格子状のリブ構造としてもよい。
【００１０】
前記中蓋の蓋本体の裏面には、消毒対象としての瓶体の開口に受容させて、この瓶体を固定するための固定手段が設けられていてもよい。
【００１１】
【作用】
消毒液から浮上しようとする消毒対象を消毒液中に沈めるように抑える中蓋を上蓋に取付けているから、上蓋を着脱するだけで、中蓋及び上蓋を片手で、一度に操作することができる。
【００１２】
【実施例】
以下、本発明の好適な実施例を添付図面に基づいて詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１３】
（第１の実施例）
図２は、本発明に係る消毒容器を示す斜視図であり、図１は、この図２に示す消毒容器のＡ−Ａ断面図である。この消毒容器１０は、容器本体１１に消毒液を満たして消毒対象を入れた後、上蓋１２を閉じて使用される。
【００１４】
容器本体１１は、耐薬品性の樹脂材料を射出成形等により形成した半透明のケースでなり、哺乳瓶Ｈを立てた状態で並べて４本、乳首等一緒に収納できるように、底面がほぼ四角形形状に形成された有底筒体でなっている。
【００１５】
また、容器本体１１は、図示されているように、底面から上端に向かって緩やかに広がるように形成されている。容器本体１１の側面のうちの対向する２つの側面には、下端から上端に縦方向に沿って、容器内側に突出する全体として溝状の凹部Ｍが設けられている。
この凹部Ｍは、図３に示すように、容器本体１１内に収容される哺乳瓶Ｈ，Ｈの間に位置するようになっている。これにより凹部Ｍは容器本体１１内で哺乳瓶Ｈの位置決めを行うと共に、この消毒容器１０では、凹部Ｍが容器の内側に突出している分、通常の消毒容器に比して少ない消毒液量で哺乳瓶等を完全に消毒液内に浸漬させることができる。したがって、従来より消毒液の使用量を低減できるようになっている。
【００１６】
さらにこの容器本体１１は、上端近傍において、凹部Ｍを含む側面がほぼ直角に外側に広がった後、ほぼ垂直に立ち上るように全体としてフランジ状に形成される。これにより、容器本体１１では、液面上昇に対応する断面積が容器上部で増加するようになっている。
特に、本実施例の消毒容器において、哺乳瓶等を消毒する場合に、容器本体１１に哺乳瓶を投入したときには、これが消毒液内に沈み込むときに、その外形による体積分の消毒液を一時的に押しのけるため、液面水位は瞬間的に上昇する。次いで、哺乳瓶等の中に消毒液が入り込むことによって、上記液面水位は直ぐに下がる。このように、内部空間を有した容器状の消毒対象を消毒する際に、このような容器本体１１の形状は特に適している。
また、図４に示すように、本実施例の消毒容器１０では、この凹部Ｍに指を引っ掛けて、簡単に運搬できるようになっている。
【００１７】
さらにこの容器本体１１は、消毒対象を収容していない状態で、消毒液を規定量注入すると、このように側面が一旦外側に広がることにより容器本体１１の外側に表れる水平のラインＬよりも僅かに下方に設けた目盛り（図示せず）と、必要量の消毒液の液面とが一致するように、全体の大きさが選定されている。
これにより消毒容器１０では、この容器本体１１の外側に表れる水平のラインＬを基準にして消毒液量を規定量だけ確実に注入できるようになっている。
【００１８】
さらにこの側面の外側への広がりによるフランジ部は、図５に示すように、消毒液を注入した後、消毒対象を入れたとき、また上蓋１２をセットしたとき、この消毒液の液面の１４の上昇を十分に低減できるように、また上述したように凹部Ｍに指を引っ掛けることができるように、実用上十分な広がりに選定されている。
これにより消毒容器１０では、消毒対象を入れたとき等における消毒液の液面水位の上昇によるオーバーフローを有効に回避すると共に、全体として消毒容器１０の高さが低減できる。
【００１９】
上蓋１２は、中蓋１５を装着するようになっている。
ここで上蓋１２は、ほぼ矩形形状の板体にて形成され、上面の中央部分に、凹部１６及び１７が形成される（図２）。これにより消毒容器１０では、この凹部１６及び１７に指を引っ掛けて、片手で簡単に上蓋１２を取り外すことができるようになっている。
【００２０】
さらに上蓋１２は、容器本体１１側の裏面に、容器本体１１の内壁面に沿って延びる壁１８が形成され、これにより消毒容器１０では、この壁１８を容器本体１１に差し込んで上蓋１２を容器本体１１に簡単にセットできるようになっている。また、消毒後、上蓋１２を取り外した際に、この上蓋１２を裏返して載置することにより、この壁面１８によって上蓋１２の内側に付着した水滴の散乱等を有効に回避するようになっている。
【００２１】
図７に示すように、上蓋１２は、容器本体１１側の裏面、中央部分において、円筒形状に立ち上がる壁１９が形成されている。この壁１９によって中蓋１５が装着される。すなわち、この壁１９には、上下方向に延びる矩形形状の２つの貫通孔２０及び２１が、１８０度の角間隔で対向するように形成されている。
【００２２】
さらに上蓋１２の壁１９には、貫通孔２０及び２１に隣接して、貫通孔２０及び２１の幅と同じ程度の幅で、切り込み２８及び２９が形成されている。これら切り込み２８及び２９は、貫通孔２０及び２１と、それぞれ細長い溝で連結されるようになっている。これら切り込み２８及び２９と貫通孔２０及び２１を連結する溝は、切り込み２８及び２９側において、幅が狭くなるようにして、突起３０、３１が壁１９に形成されるようになっている。
【００２３】
中蓋１５は、板状に本体２３が形成され、この本体２３の上蓋１２側の面の中央部分に、円筒形状の壁２４が形成されている。この中蓋１５の壁２４は、上蓋１２の壁１９内に緊密に挿入され、上下に移動できるように直径が選定されている。さらに中蓋１５の壁２４は、上蓋１２の壁１９に形成された矩形形状の貫通孔２０及び２１に対応するように、外側に向かって矩形形状の突起２５及び２６が形成されている。
【００２４】
この突起２５及び２６は、矢印ｄで示すように、中蓋１５を上蓋１２側に持ち来たして、壁２４を上蓋１２の壁１９に差し込むと、切り込み２８及び２９に突起２５及び２６を押し込むことができるように、切り込み２８及び２９に対して僅かに小さく形成されている。またこの突起２５及び２６は、切り込み２８及び２９に押し込んだ状態で、矢印ｅで示すように、中蓋１５を回転されると、切り込み２８及び２９と貫通孔２０及び２１を連結する溝を押し開くように移動し、貫通孔２０及び２１内に入るように形成されている。
【００２５】
これにより、上蓋１２は、中蓋１５の突起２５及び２６を貫通孔２０及び２１に挿通することによって、矢印ｃで示すように（図１）、上下に移動できるように中蓋１５を保持するようになっている。
【００２６】
さらに、図８に示すように、突起２５及び２６と貫通孔２０及び２１は、この消毒容器１０の上下方向に、中蓋１５が十分な距離Ｔ１だけ上下できるように、上下方向の寸法が選定されている。これにより、図９に示すように、消毒液を容器本体１１に満たして消毒対象を入れた後、上蓋１２をセットしたとき、中蓋１５は、従来の落とし蓋のように、消毒液の液面の変化に追従して中蓋１５が上下方向に移動する。これによって、消毒液から浮上してくる乳首等を、この中蓋１５で抑え、消毒液内に完全に浸すことができる。
【００２７】
本実施例は以上のように構成されており、図１０に示すように、消毒容器１０では、従来の落とし蓋と同様に、中蓋１５が、消毒液の液面に追従して上下し、かつ消毒対象を消毒液に浸すことができる。そしてこの中蓋１５は、一旦上蓋１２に中蓋１５を装着した後においては、突起３０及び３１により、上蓋１２から脱落することがない。このため、矢印ｆで示すように上蓋１２と共に一体に外すことができ、その分使い勝手を向上することができる。また、中蓋１５は、必要に応じて装着時とは逆向きに操作して、上蓋１２から中蓋１５を簡単に取り外すことができ、これにより上蓋１２及び中蓋１５をそれぞれ別体に分解して清掃することもできる。
【００２８】
さらにこの実施例において、中蓋１５は、本体２３に複数の貫通孔３３が形成され、この貫通孔３３により、本体２３の下側の消毒液を上側に逃がすようになっている。
これにより消毒容器１０では、中蓋１５の下面側に、気泡等が止まることが無いように、上蓋１２をセットする際に下面から上面に向かっての消毒液の流れを形成し、消毒対象を確実に消毒液に浸すようになっている。
【００２９】
したがって、容器本体１１は、側面に形成された凹部Ｍにより、従来に比して少ない液量で、規定ラインＬにまで消毒液が入れられ、その後消毒対象である哺乳瓶、乳首等が収容され、上蓋１２がセットされる。
この上蓋１２がセットされる際、この上蓋１２の貫通孔２０及び２１に挿通した中蓋１５の突起２５、２６により、上下に移動できるように中蓋１５が上蓋１２に一体に保持されていることにより、同時に中蓋１５もセットされる。
【００３０】
さらにこのセットされた中蓋１５が、上下に移動できるように上蓋１２に保持されていることにより、従来の落とし蓋のように、液面に追従して上下して、消毒液の液面より浮上する乳首等を完全に消毒液に浸すことができる。
【００３１】
このようにして上蓋１２をセットした後、消毒容器１０は、容器本体１１の側面に形成された凹部Ｍとフランジ部に手をかけることにより、簡単に移動できる。消毒後は上蓋１２と共に中蓋１５を取り外して、消毒の完了した哺乳瓶等を取り出すことができる。このとき貫通孔２０及び２１に挿通した突起２５、２６によって、中蓋１５は、上蓋１２に保持されているので、この中蓋１５を上蓋１２と一緒に取り外すことができる。
【００３２】
（第２の実施例）
図１１は、第２の実施例に係る消毒容器の上蓋４２及び中蓋４４を示す分解斜視図である。この実施例では上述した第１の実施例の容器本体１１と、この上蓋４２及び中蓋４４とにより消毒容器が形成される。なおこの実施例において、上述した第１の実施例と同一の構成は、同一の符号を付して示し、重複した説明を省略する。
【００３３】
図１１において、上蓋４２には、円筒形状の壁１９が形成され、この壁１９に、上下方向に延びる矩形形状の貫通孔２０及び２１が、１８０度の角間隔で対向するように形成されている。
【００３４】
これに対して中蓋４４は、板状の本体２３に、円筒形状の壁２４が形成されている。この壁２４には、上蓋４２の貫通孔２０及び２１に対応して、突起４５及び４６が形成されている。ここでこの突起４５及び４６は、根元部分が断面矩形形状に形成され、先端に向かって尖るようにテーパ状に形成されている。
【００３５】
さらに中蓋４４は、この突起４５及び４６の両側に、スリットが形成され、このスリットにより連続する壁面から突起４５及び４６のある壁面が可動片として切り離されている。これにより中蓋４４は、矢印ｄで示すように、上蓋４２に持ち来たして、押し付けると、突起４５及び４６のある可動片としての壁面が内側に撓むことにより、突起４５及び４６が内側に変位し、上蓋４２に差し込まれる。その後貫通孔２０、２１の位置にて、内側に撓んだ壁面が元の状態に復帰して突起４５及び４６が貫通孔２０、２１に挿通された状態に保持され、これにより中蓋４４は、上蓋４２に装着され、かつ上下に移動可能な状態に保持される。
【００３６】
また、中蓋４４には、突起４５及び４６の根元部分、本体２３に、大きな貫通孔４８が形成されている。これによりこの貫通孔４８から指を差し込んで突起４５及び４６を手指により押圧すると、この突起４５及び４６を、内側に変位させることができ、上蓋４２から中蓋４４を取り外すことができるようになっている。
【００３７】
かくして、図１１に示すように、本実施例においても、第１の実施例と同様の効果を得ることができる。
【００３８】
（第３の実施例）
図１２及び図１３は、この第３の実施例に係る消毒容器の中蓋５０を示す斜視図であり、この実施例では上述した第１の実施例の容器本体１１、上蓋１２、この中蓋５０により消毒容器が形成される。なお、この実施例において、上述した第１の実施例と同一の構成は、同一の符号を付して示し、重複した説明を省略する。
【００３９】
ここで中蓋５０は、周囲がほぼ矩形形状になるように、本体５１が形成され、この本体５１の裏面には、図示するような格子状のリブが表れている。また、中蓋の本体５１の上面側には、図１２に示す中央部分に円筒形状の壁２４が形成されている。
これにより、この格子状に形成された本体５１により、乳首等、液面から浮上する消毒対象を消毒液に完全に浸すようになっている。この場合この中蓋５０では、格子状に本体を形成したことにより、上述した実施例において、本体２３に貫通孔３３を形成する場合に比して、さらに確実に消毒対象を消毒液に完全に浸すことができるようになっている。
【００４０】
さらに中蓋５０は、その裏面側に図１３に示すように、本体の格子から延びる半円，もしくは半楕円形状の固定手段としての突起５３が、格子の交点を中心にして起立するように形成されている。従ってこの実施例では、中蓋５０を上蓋１２と共に取り外し、上蓋１２を裏返して載置したとき、図３に示すように、上方にこの突起５３が突出するように配置される。これにより図１４に示すように、この消毒容器では、中蓋５０の裏面の突起５３に哺乳瓶Ｈの口を差し込んで固定できる。
【００４１】
この状態で中蓋５０は消毒液中で各哺乳ビンはが浮かないように抑えることができる。
この状態にて哺乳瓶Ｈを容器内に収容して消毒を行い、上蓋１２およびこれに装着されている中蓋５０を外して、消毒液から取り出した哺乳瓶Ｈを、この上方に突出する突起５３に差し込んだまま保持でき、これによりこの上蓋１２、中蓋５０を水切りとして利用できるようになっている。
また、中蓋５０の本体を格子状に形成したので全体として簡単な形状で実用上十分な強度を確保することができる。
【００４２】
この第３の実施例によれば、第１の実施例の効果に加えて、この突起５３を利用して水切りとして利用することができ、その分使い勝手を向上することができる。
【００４３】
（第４の実施例）
図１５は、第４の実施例に係る消毒容器を示す断面図である。この消毒容器６０では、円筒形状の容器本体６１に消毒液を入れた後、略半円球状の上蓋６２をセットして使用される。ここでこの上蓋６２は、中央に貫通孔６３が形成され、この貫通孔６３の内側に雌ネジが形成されている。
【００４４】
これに対して中蓋６４は、蓋本体６５の中央部分に丸棒６６が垂直に植設されている。この丸棒６６は貫通孔６３に挿通されるとともに、丸棒６６の先端に球状の把手６７が固定されている。
これにより、この消毒容器６０では、上下に移動可能な状態で、中蓋６４を上蓋６２に一体に保持するようになっている。これにより中蓋６４を、液面の上下に追従して上下させることができ、液面から浮き上がる乳首等を消毒液に完全に浸すようになっている。
【００４５】
特に、丸棒６６は、把手６７の根元部分に雄ねじ６８が形成され、この雄ねじ６８が貫通孔６３の内側に形成された雌ねじとかみ合うことができるようになっている。これにより中蓋６４は、把手６７を押し下げた状態で、矢印ｈで示すようにこの把手６７を回転させて、雄ねじ６８を上蓋６２にねじ込むことができ、またねじ込んだ雄ねじ６８を上蓋６２から取り外すことができるようになっている。
【００４６】
これにより、この消毒容器６０では、上蓋６２をセットする際、さらには上蓋６２を容器本体６１から取り外す際、上蓋６２に中蓋６４を固定できるようになされ、またセット後は、上下に移動可能な状態に保持できるようになっている。したがって、第４の実施例も、第１の実施例と同様の効果を得ることができる。
【００４７】
（第５の実施例）
図１６は、第５の実施例に係る消毒容器について、その上蓋７０の詳細な構成を示す断面図である。この消毒容器では、第４の実施例による上蓋６２に代えてこの上蓋７０が適用される。
すなわちこの上蓋７０においては、略半円球状に形成され、中央に貫通孔６３が形成されている。さらに上蓋７０は、断面円弧形状の突起７２が、この貫通孔６３の内側にリング状に一体に形成されている。
【００４８】
中蓋は、第４の実施例の場合と同様に、丸棒６６に本体（図示せず）を固定し、この丸棒６６が貫通孔６３に挿通され、球状の把手６７が固定されるようになっている。これによりこの消毒容器６０においても、第４の実施例と同様に、上下に移動可能な状態で、中蓋を上蓋６２に保持するようになっている。
【００４９】
さらにこの丸棒６６は、把手６７の根元部分に、断面円弧形状の膨らみ７４が形成され、これにより矢印ｉで示すように、力を込めて把手６７を押し下げるとこの膨らみ７４が突起７２の部分を押し広げて下方に移動し、丸棒６６の先端に固定された中蓋を固定できるようになっている。さらにこの状態で、これとは逆に力を込めて把手６７を引き上げると、この膨らみ７４が突起７２の部分を押し広げて上方に移動し、丸棒６６の先端に固定された中蓋を上下に移動可能な状態に設定できるようになっている。
【００５０】
この第５の実施例によれば、第４の実施例に比してさらに簡単な構成で、単に把手を上下させるだけで、中蓋を上下に移動可能な状態に設定し、また固定でき、さらに使い勝手を向上することができる。
【００５１】
（第６の実施例）
図１７は、第６の実施例に係る消毒容器を示す断面図である。この消毒容器８０では、第４の実施例による上蓋６２に代えて、上面が平坦に形成された上蓋８１が適用される。ここでこの上蓋８１においては、略円筒形状に形成され、中央内側にチャンバー８２が形成されている。このチャンバー８２は、上蓋８１の平坦な下面から円筒形状に壁面を形成し、その底面を塞ぐように形成されている。これにより上蓋８１の下面に規定の高さＴ１の空間を形成するようになっている。上蓋８１では、このチャンバー８２の底面中央に雌ねじが形成されている。
【００５２】
中蓋８３は、円盤状の本体８４が丸棒６６の一端に固定され、この丸棒６６の他端に雄ねじ６８が形成されている。この雄ねじ６８は、上蓋８１の雌ねじとかみ合うように形成され、これによりこの実施例では、矢印ｊで示すように、中蓋８３を上蓋８１にねじ込んで一体に保持し、また中蓋８３を上蓋８１から取り外すことができるようになっている。
【００５３】
このようにして中蓋８３を上蓋８１にねじ込む場合において、雌ねじ側に規定の高さＴ１の空間が形成されていることにより、ねじ込み量が小さいと、中蓋８３が上蓋８１に固定されて保持されることになる。これに対してねじ込み量が大きいと、中蓋８３の雄ねじ６８が上蓋８１の雌ねじを通り過ぎ、先の空間に突き出てしまい、これによりこの空間の高さＴ１の分、上下に移動可能な状態で、中蓋８３が上蓋８１に一体に保持されることになる。
【００５４】
第６の実施例によれば、上蓋に形成した空間を利用して、上下に移動可能な状態で、中蓋８３を上蓋８１に一体に保持するようにしても、上述した実施例と同様の効果を得ることができる。
【００５５】
なお上述の実施例においては、上蓋の裏側に形成した円筒形状の壁面により、又は上蓋に形成した貫通孔等により、中蓋を上下に移動可能な状態で保持する場合について述べたが、本発明はこれに限らず、中蓋を上下に移動可能な状態で上蓋と一体に保持すればよく、種々の保持手段を広く適用することができる。
【００５６】
また上述の実施例においては、哺乳瓶等の消毒容器に本発明を適用した場合について述べたが、本発明はこれに限らず、哺乳瓶に使用される乳首だけを消毒する専用の消毒容器に、さらにはこれら哺乳瓶、乳首等に限らず、種々の消毒対象を消毒する場合に広く適用することができる。
【００５７】
【発明の効果】
上述のように本発明によれば、消毒液から浮上する消毒対象を消毒液中に沈める中蓋を、上下に移動可能な状態で、上蓋に装着することにより、中蓋及び上蓋を同時に取り扱うことができる。これにより簡単な操作で消毒の完了した哺乳瓶、乳首を取り出すことができる。
【図面の簡単な説明】
【図１】本発明の第１の実施例による消毒容器を示す断面図である。
【図２】図１の消毒容器の斜視図である。
【図３】図１の消毒容器の容器本体を示す斜視図である。
【図４】図１の消毒容器の持ち運ぶ際の説明図である。
【図５】図１の消毒容器の液面の変化を示す断面図である。
【図６】図１の消毒容器の上蓋及び中蓋を示す斜視図である。
【図７】図６の上蓋及び中蓋を示す分解斜視図である。
【図８】図１の消毒容器の中蓋の要部断面図である。
【図９】図８に対応して液面との関係を示す断面図である。
【図１０】図１の消毒容器の使用状態の正面図である。
【図１１】第２の実施例に係る消毒容器の上蓋及び中蓋を示す分解斜視図である。
【図１２】第３の実施例に係る消毒容器の中蓋を示す斜視図である。
【図１３】図１２の中蓋の逆側の面を示す斜視図である。
【図１４】第３の実施例に係る消毒容器の使用状態の正面図である。
【図１５】第４の実施例に係る消毒容器を示す断面図である。
【図１６】第５の実施例に係る消毒容器の上蓋の詳細を示す断面図である。
【図１７】第６の実施例に係る消毒容器を示す断面図である。
【図１８】従来の消毒容器の使用状態の断面図である。
【符号の説明】
１                              消毒容器
１０                            消毒容器
６０                            消毒容器
８０                            消毒容器
２                              容器本体
１１                            容器本体
６１                            容器本体
５                              上蓋
１２                            上蓋
６２                            上蓋
７０                            上蓋
８１                            上蓋
１５                            中蓋
４４                            中蓋
５０                            中蓋
６４                            中蓋
８３                            中蓋
１８                            壁
１９                            壁
２４                            壁
【図１】
0003559082.tif 000002
【図２】
0003559082.tif 000003
【図３】
0003559082.tif 000004
【図４】
0003559082.tif 000005
【図５】
0003559082.tif 000006
【図６】
0003559082.tif 000007
【図７】
0003559082.tif 000008
【図８】
0003559082.tif 000009
【図９】
0003559082.tif 000010
【図１０】
0003559082.tif 000011
【図１１】
0003559082.tif 000012
【図１２】
0003559082.tif 000013
【図１３】
0003559082.tif 000014
【図１４】
0003559082.tif 000015
【図１５】
0003559082.tif 000016
【図１６】
0003559082.tif 000017
【図１７】
0003559082.tif 000018
【図１８】
0003559082.tif 000019